(57)【要約】【課題】  コードを確実に留めて結び目模様のきれいな作品を制作可能とする。【解決手段】  手編み補助具２０は、長方形状の基台２１、基台２１の前端面と後端面に向かい合わせで装着されたコード固定部２２、２６を有している。コード固定部２２と２６の上端面には、一定深さｄまで前後方向に刻み込まれた多数のコード差し込み溝２３1 乃至２３n 、２７1 乃至２７n が刻設されている。コード差し込み溝２３1 乃至２３n 、２７1 乃至２７n は横に一定間隔ｐ１で配列されており、すべて同一の溝幅ｗ１を有している。コード固定部２２、２６の外面の中央付近にはピン状のコード巻き掛け部３０、３３が装着されている。【選択図】      図４
0003170231.tif 000002
【実用新案登録請求の範囲】
【請求項１】
外からコード類を差し込み可能な複数のコード差し込み溝からなる溝部を有するコード固定部と、
コード固定部が装着された基台と、
を備えたことを特徴とする手編み補助具。
【請求項２】
外からコード類を差し込み可能な複数のコード差し込み溝からなる溝部を有するコード固定部と、
コード固定部が装着された基台と、コード固定部または基台に設けられてコード差し込み溝に差し込んだコードを巻きかけるコード巻き掛け部と、
を備えたことを特徴とする手編み補助具。
【請求項３】
基台に２つの離間したコード固定部を向かい合わせで装着したこと、
を特徴とする請求項１または２記載の手編み補助具。
【請求項４】
溝部の溝は、複数のコード差し込み溝を同一の溝幅としたこと、
を特徴とする請求項１または２または３記載の手編み補助具。
【請求項５】
溝部の溝は、溝幅の異なる２種以上の溝を含むこと、
を特徴とする請求項１または２または３記載の手編み補助具。
【請求項６】
溝部の溝の種類の異なる複数種のコード固定部を用意し、
基台に対し、所望の種類のコード固定部を着脱自在に取り付け可能としたこと、
を特徴とする請求項１または２または３記載の手編み補助具。
【請求項７】
コード固定部の複数の異なる向きの面に、溝の種類の異なる溝部を設け、
基台に対し、ユーザの選択した所望の溝部を上向きにしてコード固定部を着脱自在に取り付け可能としたこと、
を特徴とする請求項１または２または３記載の手編み補助具。
【考案の詳細な説明】
【技術分野】
【０００１】
本考案は手編み補助具に係り、とくにヘンプ、蝋引きコード、アジアンコード、レザーコードなどの各種の糸、紐等を用いてマクラメ結びなどの手編みによりアクセサリー、小物類、室内装飾品などの手工芸品を作成するのに用いて好適な手編み補助具に関する。
【背景技術】
【０００２】
マクラメ結びは、ヘンプ、蝋引きコード、アジアンコード、レザーコードなどの種々の種類と太さの糸、紐等（以下、これらを単に「コード」という）を用いて結び目を連ねて装飾模様を形作り、アクセサリー、小物類、室内装飾品などを作成するレース編み手法の一種である。コードの太さには径が１ｍｍ以下から５、６ｍｍ以上のものまで種々のものがある。マクラメ結びには、平結び、タッチング、ねじり結び、巻き結び、三つ編み、四つ編みなどの多種類の結び方がある。
例えば、平結びは、図１に示す如く、２本並べて縦に延設した芯コード１、２の左右両側に１本ずつ結びコード３、４を配置し、結びコード３を曲げて芯コード１、２の上に載せ、芯コード４を３の上に乗せた後（図１（１））、芯コード１、２の下を回して結びコード３と芯コード１の間から上に出し、左右の結びコード３、４を引き（図１（２））、続いて、結びコード３を曲げて芯コード１、２の上に載せ、結びコード４を３の上に乗せた後（図１（３））、芯コード１、２の下を回して結びコード３と芯コード１の間から上に出し、左右の結びコード３、４を引くことで１回分が完成する（図１（４））。連続して平結びをすると、図１（５）の如く装飾模様となる。
【０００３】
また、タッチング結びは、図２（１）に示す如く、縦に延設した芯コード５の左脇に結びコード６を１本配置し（左タッチング結びの場合）、結びコード６を芯コード５の上から時計回りに一回しし、結びコード６の上に渡し、次に下から反時計回りにひと回しし、結びコード６の下をくぐらせ、引き締めることで１回分が完成する。右タッチング結びは、図２（２）に示す如く、縦に延設した芯コード７の右脇に結びコード８を１本配置し、結びコード８を芯コード７の上から反時計回りにひと回しし、結びコード８の上に渡し、次に下から時計回りに一回回し、結びコード８の下をくぐらせ、引き締めることで１回分が完成する。
【０００４】
図３はタッチング結びの応用で、間隔を開けて２本並べて縦に平行に配設した芯コード９、１０の内、一方の芯コード９の右脇に結びコード１１を１本配置し、結びコード１１を芯コード９に対し１回分左タッチング結びを完成させ、次に、結びコード１１を芯コード１０の右脇に持ってきて芯コード１０に対し１回分右タッチング結びを完成させる。再び、結びコード１１を芯コード９の左脇に持ってきて１回分左タッチング結びを完成させ、以下、同様に繰り返す。
【０００５】
ところで、芯コードや結びコードの最初の部分は固定する必要があるが、従来は、コルクボードにピン留めしたり（特許文献１参照）、コルクボードにテープで貼り付けて固定したりしていた（非特許文献１参照）。
【０００６】
しかしながら、コルクボードにピン留めしたり、テープで貼り付ける方法では、コードを引っ張ったときに簡単に外れてしまったり、コードを引っ張る力が弱くなりすぎてコードに緩みが生じ、結び目模様がきれいに揃わなかったりして、きれいな出来上がりの作品を作成するのが難しい欠点があった。
【先行技術文献】
【特許文献】
【０００７】
【特許文献１】特開２００３−３１３７６２号公報段落０００３
【非特許文献】
【０００８】
【非特許文献１】高橋ひとみ編集「ｈｅｍｐで作るアクセサリー」株式会社ブティック社２０１１年５月３０日発行第６頁
【考案の概要】
【考案が解決しようとする課題】
【０００９】
本考案は上記した従来技術の問題に鑑み、コードを確実に留めて結び目模様のきれいな作品を制作することのできる手編み補助具を提供することを、その目的とする。
【課題を解決するための手段】
【００１０】
本考案の請求項１記載の手編み補助具では、外からコード類を差し込み可能な複数のコード差し込み溝からなる溝部を有するコード固定部と、コード固定部が装着された基台と、を備えたことを特徴としている。
本考案の請求項２記載の手編み補助具では、外からコード類を差し込み可能な複数のコード差し込み溝からなる溝部を有するコード固定部と、コード固定部が装着された基台と、コード固定部または基台に設けられてコード差し込み溝に差し込んだコードを巻きかけるコード巻き掛け部と、を備えたことを特徴としている。
本考案の請求項３記載の手編み補助具では、基台に２つの離間したコード固定部を向かい合わせで装着したこと、を特徴としている。
本考案の請求項４記載の手編み補助具では、溝部の溝は、複数のコード差し込み溝を同一の溝幅としたこと、を特徴としている。
本考案の請求項５記載の手編み補助具では、溝部の溝は、溝幅の異なる２種以上の溝を含むこと、を特徴としている。
本考案の請求項６記載の手編み補助具では、溝部の溝の種類の異なる複数種のコード固定部を用意し、基台に対し、所望の種類のコード固定部を着脱自在に取り付け可能としたこと、を特徴としている。
本考案の請求項７記載の手編み補助具では、コード固定部の複数の異なる向きの面に、溝の種類の異なる溝部を設け、基台に対し、ユーザの選択した所望の溝部を上向きにしてコード固定部を着脱自在に取り付け可能としたこと、を特徴としている。
請求項６において、溝部の溝の種類の異なる複数種のコード固定部を用意する場合、１つのコード固定部では溝部の複数の溝は溝幅が同一なものとしたり、１つのコード固定部では溝部は２種以上の異なる溝幅の溝を含むようにしたり、更に、前者について、異なる種類のコード固定部間で溝幅または配列が異なっているもの、後者について、異なる種類のコード固定部間で溝幅の組み合せ、または溝の配列、または溝幅の組み合せと溝の配列が異なっているものとすることができる。
請求項７において、１つのコード固定部の複数の異なる向きの面に、溝のタイプの異なる溝部を設ける場合、１つの溝部では複数の溝は溝幅が同一なものとしたり、１つの溝部では２種以上の異なる溝幅の溝を含むようにしたり、更に、前者について、異なる溝部間で溝幅または配列が異なっているもの、後者について、異なる溝部間で溝幅の組み合せ、または溝の配列、または溝幅の組み合せと溝の配列が異なっているものとすることができる。
【考案の効果】
【００１１】
本考案によれば、手編みでアクセサリなどの手工芸品を作成する場合に、コード固定部のコード差し込み溝の溝幅より少し太いコードをコード差し込み溝に差し込みながら巻きかけることで、コードの端部を簡単かつ確実に固定することができる。作業中にきれいな結び目を作るためにコードを引っ張っても外れることがなく、出来上がりの良好な作品を製作可能となる。
また、請求項２によれば、コード固定部のコード差し込み溝の溝幅より少し太いコードをコード差し込み溝に差し込み、外側をコード巻き掛け部に巻きかけたのち、再びコード差し込み溝に差し込むことで、少ない溝を使ってコードの端部を簡単かつ確実に固定することができる。作業中にきれいな結び目を作るためにコードを引っ張っても外れることがなく、出来上がりの良好な作品を製作可能となる。
また、請求項３によれば、２つのコード固定部により、コードを真っ直ぐに張った状態で配設することができ、作業中に芯コードを手で引っ張らなくても結び目模様がきれいに揃った作品を迅速かつ容易に制作できる。
また、請求項５によれば、１つの手編み補助具で太さの異なるコードに対応可能となる。
また、請求項６、７記載の手編み補助具によれば、手編み補助具の溝の種類を代えることで、使用するコードや編み方を変えたい場合にも対応可能となる。
【図面の簡単な説明】
【００１２】
【図１】マクラメ結びの一種の平結びの手編み手順を示す説明図である。
【図２】マクラメ結びの一種のタッピング結びの手編み手順を示す説明図である。
【図３】タッピング結びを応用した手編み手順を示す説明図である。
【図４】本考案の第１実施例に係る手編み補助具の外観斜視図である（実施例１）。
【図５】図４の手編み補助具の使用方法を示す説明図である。
【図６】図４の手編み補助具の使用方法を示す説明図である。
【図７】図４の手編み補助具の使用方法を示す説明図である。
【図８】図４の手編み補助具の使用方法を示す説明図である。
【図９】本考案の第２実施例に係る手編み補助具の外観斜視図である（実施例２）。
【図１０】図９の手編み補助具の使用方法を示す説明図である。
【図１１】図９の手編み補助具の使用方法を示す説明図である。
【図１２】図９の手編み補助具の使用方法を示す説明図である。
【図１３】本考案の第３実施例に係る手編み補助具の外観斜視図である（実施例３）。
【図１４】図１３の手編み補助具の使用方法を示す説明図である。
【図１５】図１３の手編み補助具の使用方法を示す説明図である。
【図１６】本考案の第４実施例に係る手編み補助具の外観斜視図である（実施例４）。
【図１７】交換用のコード固定部の外観斜視図である。
【図１８】図１６の手編み補助具の使用方法を示す説明図である。
【図１９】図１６の手編み補助具の使用方法を示す説明図である。
【図２０】図４の手編み補助具の変形例の使用方法を示す説明図である。
【考案を実施するための最良の形態】
【００１３】
以下、本考案の最良の形態を実施例に基づき説明する。
【実施例１】
【００１４】
図４を参照して本考案の第１実施例を説明する。図４は本考案に係る手編み補助具の外観斜視図である。
２０はマクラメ結びにより、ヘンプ、蝋引きコード、アジアンコード、レザーコードなどの糸、紐等のコード類（以下、単に「コード」と呼ぶ）を用いてアクセサリー、小物類、室内装飾品等の手工芸品を作成する際に用いる手編み補助具であり、腿の上や机の上に載せて使用する。手編み補助具２０の内、２１は長方形状の基台であり、椅子に坐ったユーザの腿の上に載る大きさに形成されている（図５参照）。２２は基台２１の前端部に取着された正方形状のコード固定部、２３1 乃至２３n はコード固定部２２の上端面に一定深さｄまで前後方向に刻み込まれた多数のコード差し込み溝であり、横に一定間隔ｐ１で配列されている。コード差し込み溝２３1 乃至２３n はすべて同一の溝幅ｗ１を有しており、コード差し込み溝２３1 乃至２３n により溝部２４が形成されている。コード固定部２２は下端部がネジ２５により基台２１の前端面に螺着されている。
【００１５】
２６は基台２１の後端部に取着された正方形状のコード固定部であり、コード固定部２２と同一形状に形成されている。コード固定部２２とコード固定部２６は離間して向かい合うように装着されている。２７1 乃至２７n はコード固定部２６の上端面に一定深さｄまで前後方向に刻み込まれた多数のコード差し込み溝であり、横に一定間隔ｐ１で配列されている。コード差し込み溝２７1 乃至２７n はすべて同一の溝幅ｗ１を有している。コード差し込み溝２７1 乃至２７n により溝部２８が形成されている。コード固定部２６は下端部がネジ（図示せず）により基台２１の後端面に螺着されている。
３０はコード固定部２２の外面の中央付近に装着されたピン状のコード巻き掛け部であり、円盤状のヘッド３１とヘッド３１の裏面の中央から突出した首部３２から成り、首部３２がコード固定部２２に植設されている。３３はコード固定部２６の外面の中央付近に装着されたピン状のコード巻き掛け部であり、コード巻き掛け部３０と同一形状に形成されている。
【００１６】
図５乃至図８は手編み補助具２０の使用方法の説明図であり、以下、これらの図を参照して上記した実施例の使用方法を説明する。
例えば、溝幅ｗ１より少し太い４本のコードで図１の如く平結びをしたい場合、椅子に坐った姿勢で手編み補助具２０を腿４０の上に載せ、面ファスナー付きのバンド４１で基台２１を腿４０に止めておく。そして、ｗ１より少し太い４本のコード５０乃至５３を束ね、前端近くを前側のコード固定部２２の任意のコード差し込み溝２３i に差し込み（図５参照）、外側に出ている部分を引っ張り加減でコード巻き掛け部３０の首部３２に数回巻き掛けたのち、再度、引っ張り加減のまま任意のコード差し込み溝２３j に差し込む（邪魔にならなければ２３j ＝２３i でも良い。図６参照）。コード５０乃至５３とコード差し込み溝２３j の間の摩擦により、コード５０乃至５３がコード差し込み溝２３j から抜けたり、コード巻き掛け部３０とコード差し込み溝２３j の間のコード５０乃至５３が緩んだりすることはなく、同様に、コード５０乃至５３とコード差し込み溝２３i の間の摩擦により、コード５０乃至５３がコード差し込み溝２３i から抜けたり、コード巻き掛け部３０とコード差し込み溝２３i の間のコード５０乃至５３が緩んだりすることはなく、コード巻き掛け部３０への巻きがほどけることはない。これにより、４本のコード５０乃至５３の前端部を簡単かつ確実に固定することができる。あとは、４本のコード５０乃至５３の内、例えば２本のコード５１、５２を芯コード、残りの２本のコード５０、５３を結びコードとして、基台２１の上のスペースで両手を使って図１の如く手順で平結びを行なえば良い。
作業中にきれいな結び目を作るためにコード５０乃至５３を手前に手で引っ張ってもコード固定部２２から外れることはなく、出来上がりの良好な作品を製作可能となる。
なお、手編み補助具２０が腿４０に固定されているので、手編み作業中にコード５０乃至５３を手前に引っ張っても、手編み補助具２０の位置がずれることも無く、円滑に作業を行なえる。
【００１７】
マクラメ結びでは、芯コードが緩んだ状態ではきれいに揃った結び目模様とするのが難しく、芯コードとする２本のコード５１、５２を手で真っ直ぐに引っ張りながら作業する必要があり、時間が掛かってしまう。芯コードとする２本のコード５１、５２を常に真っ直ぐ張った状態とし、手で引っ張らなくても済むようにするとともに結び目をきれいに揃えたい場合、４本のコード５０乃至５３の前端部をコード固定部２２に固定したあと（図６参照）、芯コードとする２本のコード５１、５２を反対側のコード固定部２６の方に真っ直ぐ引っ張りながら、コード差し込み溝２７i に差し込み、外側に出ている部分を引っ張り加減でコード巻き掛け部３３に数回巻き掛けたのち、再度、任意のコード差し込み溝２７k に差し込む（邪魔にならなければ２７k ＝２７i でも良い）。
コード５１、５２とコード差し込み溝２７k の間の摩擦により、コード５１、５２がコード差し込み溝２７k から抜けたり、コード巻き掛け部３３とコード差し込み溝２７k の間のコード５１、５２が緩んだりすることはなく、同様に、コード５１、５２とコード差し込み溝２７i の間の摩擦により、コード５１、５２がコード差し込み溝２７i から抜けたり、コード巻き掛け部３３とコード差し込み溝２７i の間のコード５１、５２が緩んだりすることはなく、コード巻き掛け部３３への巻きがほどけることはない。これにより、コード５１、５２の後端部を簡単かつ確実に固定することができ、コード固定部２２、２６の間に芯コードとするコード５１、５２を真っ直ぐに張った状態で配設することができる（図７参照）。従って、作業中にコード５１、５２を手で引っ張らなくても結び目模様がきれいに揃った作品を迅速かつ容易に制作できる。
【００１８】
図２の如く、２本のコードにより左タッピング結びまたは右タッピング結びをしたい場合、平結びの場合と同様にして、芯コード用と結びコード用の２本のコードを束ね前端部分をコード固定部２２のコード差し込み溝２３i に固定すれば良い。芯コードを真っ直ぐ張った状態で固定したいときは、芯コード用のコードの後端部をコード固定部２６のコード差し込み溝２７i に固定すればよい。
【００１９】
図３の如く、間隔を置いて平行に配置した２本の芯コードに右タッピング結びと左タッピング結びを交互に繰り返したい場合、図８に示す如く２本のコード５４、５５を束ね、前端近くを前側のコード固定部２２の任意のコード差し込み溝２３i に差し込み、別の１本のコード５６を２３i とは異なる例えばコード差し込み溝２３m に差し込み、コード固定部２２の外側で３本のコード５４乃至５６を束ね、引っ張り加減でコード巻き掛け部３０に数回巻き掛けたのち、再度、任意のコード差し込み溝２３j に差し込む（邪魔にならなければ２３j ＝２３i または２３m でも良い。）。続いて、芯コード用のコード５４と５６を反対側のコード固定部２６の方に真っ直ぐ引っ張りながら、コード差し込み溝２７i と２７m に差し込み、外側に出ている部分を束ねて引っ張り加減でコード巻き掛け部３３に数回巻き掛けたのち、再度、任意のコード差し込み溝２７q （邪魔にならなければ２７q ＝２７i または２７m でも良い）に差し込むことにより、簡単かつ確実に芯コード用の２本のコード５４、５６を真っ直ぐ張った状態で間隔を開けて平行に配設することができる。あとは、基台２１の上で、芯コード用のコード５４、５６に対し結びコード用のコード５５により図３の如く手順で右タッピングと左タッピングを交互に繰り返せば良い。２本の芯コード５４、５６が間隔を開けて真っ直ぐに引っ張った状態で平行に配設されていることで、結び目がきれいに揃った作品迅速かつ容易に作成できる。
【００２０】
この実施例によれば、コード固定部２２の溝幅ｗ１より少し太い１乃至複数本のコードをコード差し込み溝２３i に差し込み、コード巻き掛け部３０に数回巻き掛けたのち再びコード固定部２２のコード差し込み溝２３j に差し込むだけで、簡単かつ確実に１乃至複数本のコードの前端部を固定することができ、作業中にきれいな結び目を作るためにコードを手元側に引っ張ってもコード固定部２２から外れることがなく、出来上がりの良好な作品を製作可能となる。
また、コード固定部２２に複数のコード差し込み溝２３1 乃至２３n を並べたことで、同じ太さの複数のコードを離して固定することもできる。
また、基台２１の両端部に離間して２つのコード固定部２２、２６を向かい合わせで装着したことにより、１乃至複数の芯コードを真っ直ぐに張った状態で配設することができ、結び目のきれいに揃った作品を迅速かつ容易に製作できる。
また、手編み補助具２０の全体がコの字状のシンプルな形状なので、机の上や腿の上など、ユーザの好みの場所に置いて作業することができる。
【００２１】
なお、コード差し込み溝の種類を変えた多種類の手編み補助具を用意するようにしても良い。例えば、１つの溝部中でのコード差し込み溝の溝幅は全て同じだが、手編み補助具の種類毎に溝部の溝幅を変えることにより、種々の太さのコードに対応させることができる。
【実施例２】
【００２２】
次に、図９を参照して本考案の第２実施例を説明する。図９は本考案に係る手編み補助具の外観斜視図であり、図４と同一の構成部分には同一の符号が付してある。
図４の第１実施例では、コード固定部の溝部の複数のコード差し込み溝がすべて溝幅が同じタイプの場合を例に挙げたが、第２実施例では、異なる溝幅を混合し、異なる太さのコードに対応可能とした場合を示す。
図９において、手編み補助具２０Ａの基台２１の前端部と後端部に同一形状に形成されたコード固定部２２Ａ、２６Ａが向かい合わせとなるようにしてネジ２５により装着されている。コード固定部２２Ａの上面の溝部２４Ａには、横に並べて狭い溝幅ｗ１で深さｄのコード差し込み溝２３1 、２３2 、・・と広い溝幅ｗ２で深さｄのコード差し込み溝６０1 、６０2 、・・がピッチｐ２で交互に混合して刻設されている（ｗ１＜ｗ２）。同様に、コード固定部２６Ａの溝部２８Ａには、横に並べて狭い溝幅ｗ１で深さｄのコード差し込み溝２７1 、２７2 、・・と広い溝幅ｗ２で深さｄのコード差し込み溝６１1 、６２2 、・・がピッチｐ２で交互に混合して刻設されている。
コード固定部２２Ａ、２６Ａの外面の中央には、図４のコード巻き掛け部３０、３３より一回り大きい３０Ａ、３３Ａが植設されている。
その他の構成部分は、図４と全く同様に構成されている。
このように構成された手編み補助具２０Ａは、溝幅ｗ１より少し太いコードと、ｗ２より少し太いコードの両者に対応可能である。
【００２３】
図１０乃至図１２は手編み補助具２０Ａの使用方法の説明図であり、以下、これらの図を参照して第２実施例の使用方法を説明する。
溝幅ｗ１より少し太いコードを用いてマクラメ結びにより作品を製作する場合、図５乃至図８と全く同様にして、コード固定部２２Ａと２６Ａの溝幅ｗ１のコード差し込み溝２３1 、２３2 、・・とコード差し込み溝２７1 、２７2 、・・を用いることにより、コードの片側または両側を簡単かつ確実に固定することができる。例えば、ｗ１より少し太い３本のコードを図８の如く固定したい場合、図１０に示すように、３本のコード７０乃至７２の内、芯コードとする２本のコード７０、７１の前端部をコード固定部２２Ａのコード差し込み溝２３i 、２３m に差し込み、前側を引っ張りながらコード巻き掛け部３０Ａに巻き掛けたあとコード差し込み溝２３j に差し込む。
続いて、コード７０、７１の手元側を引っ張りながらコード固定部２６Ａのコード差し込み溝２７i 、２７m に差し込み、外側を引っ張りながらコード巻き掛け部３３Ａに巻き掛けたあとコード差し込み溝２７q に差し込む。これにより、２本の芯コード７０、７１を間隔を開けて真っ直ぐに張った状態で平行に配設することができる。そして、結びコード用の１本のコード７２は前側をコード７０と一緒にコード差し込み溝２３i に差し込み（コード差し込み溝２３i-1 に差し込んでも良い）、外側を引っ張りながらコード巻き掛け部３０Ａに巻き掛けたあとコード差し込み溝２７j に差し込んで、固定するようにすれば良い。
【００２４】
また、溝幅ｗ２より少し太いコードを用いる場合、コード固定部２２Ａと２６Ａの溝幅ｗ２のコード差し込み溝６０1 、６０2 、・・、とコード差し込み溝６１1 、６１2 、・・を用いて、図５乃至図８と同様にして、コードの片側または両側を簡単かつ確実に固定することができる。ｗ２より少し太い３本のコードを図８の如く固定したい場合、図１１に示すように、３本のコード７３乃至７５の内、芯コードとする２本のコード７３、７４の前端部をコード固定部２２Ａのコード差し込み溝６０i 、６０m に差し込み、前側を引っ張りながらコード巻き掛け部３０Ａに巻き掛けたあとコード差し込み溝６０j に差し込む。
続いて、コード７３、７４の手元側を引っ張りながらコード固定部２６Ａのコード差し込み溝６１i 、６１m に差し込み、外側を引っ張りながらコード巻き掛け部３３Ａに巻き掛けたあとコード差し込み溝６１q に差し込む。これにより、２本の芯コード７３、７４を間隔を開けて真っ直ぐに張った状態で平行に配設することでぎる。そして、結びコード用の１本のコード７５は前側をコード７３と一緒にコード差し込み溝６０i に差し込み（コード差し込み溝６０i-1 に差し込んでも良い）、外側を引っ張りながらコード巻き掛け部３０Ａに巻き掛けたあとコード差し込み溝６０j に差し込んで固定するようにすれば良い。
【００２５】
これと異なり、溝幅ｗ１より少し太いコードと、溝幅ｗ２より少し太いコードの両者を組み合わせて一緒に固定することもできる。例えば、ｗ２より少し太い２本のコードを芯コートとし、ｗ１より少し太い１本のコードを結びコードとして、図３の如く右タッピングと左タッピングを交互に繰り返した結び目模様を作成したい場合、図１２に示す如く、ｗ２より少し太い芯コード用の２本のコード７６、７７の前端部をコード固定部２２Ａのコード差し込み溝６０i 、６０m に差し込み、前側を引っ張りながらコード巻き掛け部３０Ａに巻き掛けたあとコード差し込み溝６０j に差し込む。
続いて、コード７６、７７の手前側を引っ張りながらコード固定部２６Ａのコード差し込み溝６１i 、６１m に差し込み、外側を引っ張りながらコード巻き掛け部３３Ａに巻き掛けたあとコード差し込み溝６１q に差し込む。これにより、２本の芯コード７６、７７を間隔を開けて真っ直ぐに張った状態で平行に配設することができる。そして、溝幅ｗ１より少し太い結びコード用の１本のコード７８は前側をコード７６と一緒にコード差し込み溝６０i に差し込み（隣のコード差し込み溝２３i に差し込んでも良い）、外側を引っ張りながらコード巻き掛け部３０Ａに巻き掛けたあとコード差し込み溝２３s に差し込んで固定するようにすれば良い。
【００２６】
この第２実施例によれば、コード固定部２２Ａ、２６Ａの各々の溝部２４Ａ、２８Ａに、溝幅ｗ１のコード差し込み溝２３1 、２３2 、・・、２７1 、２７2 、・・と、ｗ１より広い溝幅Ｗ２のコード差し込み溝６０1 、６０2 、・・、６１1 、６１2 、・・を混ぜて設けたので、１つの手編み補助具２０Ａによりｗ１より少し太いコードを固定したり、ｗ２より少し太いコードを固定したり、ｗ１より少し太いコードとｗ２より少し太いコードを一緒に固定したりすることができ、汎用性が非常に高くなる。
【００２７】
なお、図９の実施例では、溝部のコード差し込み溝の溝幅を大小２つの組み合せとしたが、３種類以上の異なる溝幅を混合して設けるようにしても良い。
【実施例３】
【００２８】
次に、図１３を参照して本考案の第３実施例を説明する。図１３は本考案に係る手編み補助具の外観斜視図であり、図４と同一の構成部分には同一の符号が付してある。
図４の第１実施例では、１つのコード固定部に１つの溝部を設ける場合を例に挙げたが、第３実施例では、１つのコード固定部に種類の異なる複数の溝部を設け、所望の種類の溝の溝部に付け替え可能とした場合を示す。
図１３において、手編み補助具２０Ｂの基台２１の前端部と後端部に同一形状に形成されたコード固定部２２Ｂ、２６Ｂが向かい合わせとなるようにしてネジ２５により着脱自在に装着されている。コード固定部２２Ｂの上面８０の溝部２４には、横に並べて狭い溝幅ｗ１で深さｄのコード差し込み溝２３1 、２３2 、・・がピッチｐ１で刻設されている。コード固定部２２Ｂの下端部には横に並べて３つのネジ孔（図１４の符号８１参照）が穿設されており、このネジ孔８１を通してネジ２５によりコード固定部２２Ｂが上面８０、即ち溝部２４を上向きにして基台２１の前端面に螺着されている。ネジ２５を外すことで、コード固定部２２Ｂを基台２１から取り外し可能になっている。
また、コード固定部２２Ｂの１つの側面８２には、縦に並べて広い溝幅ｗ２（＞ｗ１）で深さｄのコード差し込み溝６０1 、６０2 、・・がピッチｐ１で刻設されており、これらのコード差し込み溝６０1 、６０2 、・・により溝部８３が構成されている。コード固定部２２Ｂの側面８２と反対側の側面近くには、縦に並べて３つのネジ孔８４が穿設されており、側面８２を上向きにしたとき、ネジ孔８４を通してネジ２５によりコード固定部２２Ｂを基台２１の前端面に螺着可能となっている（図１５参照）。
コード固定部２２Ｂの外面の中央には、図４のコード巻き掛け部３０より一回り大きいコード巻き掛け部３０Ｂが植設されている。
【００２９】
基台２１の後端部に装着されたコード固定部２６Ｂの上面８５の溝部２８には、横に並べて狭い溝幅ｗ１で深さｄのコード差し込み溝２７1 、２７2 、・・がピッチｐ１で刻設されている。コード固定部２６Ｂの下端部には横に並べて３つのネジ孔８６（図１５の符号８６参照）が穿設されており、このネジ孔を通してネジ（図示せず）によりコード固定部２６Ｂが上面８５、即ち溝部２８を上向きにして基台２１の後端面に螺着されている。ネジを外すことで、コード固定部２６Ｂを基台２１から取り外し可能になっている。
また、コード固定部２６Ｂの１つの側面８７には、縦に並べて広い溝幅ｗ２で深さｄのコード差し込み溝６１1 、６１2 、・・がピッチｐ１で刻設されており、これらのコード差し込み溝６１1 、６１2 、・・により溝部８８が構成されている。コード固定部２６Ｂの側面８７と反対側の側面近くには、縦に並べて３つのネジ孔８９が穿設されており、側面８７を上向きにしたとき、ネジ孔８９を通してネジ（図示せず）によりコード固定部２６Ｂを基台２１の後端面に螺着可能となっている（図１５参照）。
コード固定部２６Ｂの外面の中央には、図４のコード巻き掛け部３３より一回り大きい３３Ｂが植設されている。
このように構成された手編み補助具２０Ｂは、溝幅ｗ１より少し太いコードと、ｗ２より少し太いコードの両者に対応可能である。
【００３０】
図１４、図１５は手編み補助具２０Ｂの使用方法の説明図であり、以下、これらの図を参照して第３実施例の使用方法を説明する。
まず、溝幅ｗ１より少し太いコードを用いたい場合は、コード固定部２２Ｂの上面８０を上向きにしてネジ２５により基台２１の前端面に装着し、コード固定部２６Ｂの上面８５を上向きにしてネジ（図示せず）により基台２１の後端面に装着した状態としておく（図１３参照）。これにより、溝幅ｗ１の溝部２４と２７が上に来るので、図４の第１実施例の場合と全く同様にして、ｗ１より少し太いコードの片側または両側を固定可能となる。
これと異なり、溝幅ｗ２より少し太いコードを用いたい場合は、図１４に示すようにネジ２５を外し、コード固定部２２Ｂの側面８２を上に回したのちネジ孔８４を通してネジ２５によりコード固定部２２Ｂを基台２１の前端面に付け直す。同様に、ネジを外し、コード固定部２６Ｂの側面８７を上に回したのち基台２１の後端面に付け直す。これにより、溝幅ｗ２の溝部８３と８８が上に来るので、ｗ２より少し太いコードの片側または両側を固定可能となる（図１５参照）。
【００３１】
この第３実施例によれば、コード固定部２２Ｂと２６Ｂを基台２１に対し着脱自在に装着するとともに、コード固定部２２Ｂの上面８０とコード固定部２６Ｂの上面８５に溝幅ｗ１の溝部２４、２７を設けたので溝部２４、８７を上向きに装着するとすることでｗ１より少し太いコードの片側または両側を固定することができ、コード固定部２２Ｂの側面８２とコード固定部２６Ｂの側面８７にｗ１より広い溝幅ｗ２の溝部８３、８８を設けたので溝部２３、８８を上向きに装着し直すことでｗ２より少し太いコードの片側または両側を固定することができ、１つの手編み補助具で対応可能なコードの種類が多くなる。
【実施例４】
【００３２】
次に、図１６を参照して本考案の第４実施例を説明する。図１６は本考案に係る手編み補助具の外観斜視図であり、図４と同一の構成部分には同一の符号が付してある。
この第４実施例は、基台に対し、溝の種類の異なる複数の種類のコード固定部をコード固定部を交換可能に装着するようにした場合を示す。
図１６において、手編み補助具２０Ｃの基台２１Ｃは前端部と後端部がＬ字状に立ち上げられて立ち上げ部９０、９１となっている。立ち上げ部９０、９１には向かい合うようにして同一形状の長方形状のコード固定部２２Ｃ、２６Ｃが着脱自在に取着されている。コード固定部２２Ｃの上面８０の溝部２４には、横に並べて狭い溝幅ｗ１で深さｄのコード差し込み溝２３1 、２３2 、・・がピッチｐ１で刻設されている。またコード固定部２２Ｃには下面９２の側から上面近くまで横に並んだ３つのピン孔９３が穿設されている。一方、立ち上げ部９０の上面９４には横に並んだ３つの支持ピン９５が突設されており、これらの支持ピン９５にピン孔９３を挿脱することにより、基台２１Ｃに対しコード固定部２２Ｃを着脱可能になっている。
基台２１Ｃの立ち上げ部９０の外面の中央には、図４のコード巻き掛け部３０より一回り大きいコード巻き掛け部３０Ｃが植設されている。
【００３３】
コード固定部２６Ｃの上面８５の溝部２８には、横に並べて狭い溝幅ｗ１で深さｄのコード差し込み溝２７1 、２７2 、・・がピッチｐ１で刻設されている。またコード固定部２６Ｃには下面９６の側から上面近くまで横に並んだ３つのピン孔９７が穿設されている。一方、立ち上げ部９１の上面９８には横に並んだ３つの支持ピン９９が突設されており、これらの支持ピン９９にピン孔９７を挿脱することにより、基台２１Ｃに対しコード固定部２６Ｃを着脱自在に装着可能になっている。
基台２１Ｃの立ち上げ部９１の外面の中央には、図４のコード巻き掛け部３３より一回り大きいコード巻き掛け部３３Ｃが植設されている。
【００３４】
図１７（１）、（２）は同一形状に構成された交換用のコード固定部２２Ｄ、２６Ｄの外観斜視図である。コード固定部２２Ｄの上面８０Ｄの溝部８３には、横に並べて広い溝幅ｗ２で深さｄのコード差し込み溝６０1 、６０2 、・・がピッチｐ１で刻設されている。またコード固定部２２Ｄには下面９２Ｄの側から上面近くまで横に並んだ３つのピン孔９３が穿設されている。コード固定部２６Ｄの上面８５Ｄの溝部８８には、横に並べて広い溝幅ｗ２で深さｄのコード差し込み溝６１1 、６１2 、・・がピッチｐ１で刻設されている。またコード固定部２６Ｄには下面９６Ｄの側から上面近くまで横に並んだ３つのピン孔９７が穿設されている。
このように構成された手編み補助具２０Ｄは、コード固定部２２Ｃ、２６Ｃと、２２Ｄ、２６Ｄを交換することで、溝幅ｗ１より少し太いコードと、ｗ２より少し太いコードの両者に対応可能である。
【００３５】
図１８、図１９は手編み補助具２０Ｄの使用方法の説明図であり、以下、これらの図を参照して第４実施例の使用方法を説明する。
まず、溝幅ｗ１より少し太いコードを用いたい場合は、基台２１Ｃの前端の立ち上がり部９０の支持ピン９５にコード固定部２２Ｃのピン孔９３を挿入してコード固定部２２Ｃを装着し、基台２１Ｃの後端の立ち上がり部９１の支持ピン９９にコード固定部２６Ｃのピン孔９７を挿入してコード固定部２６Ｃを装着する（図１６参照）。これにより、溝幅ｗ１の溝部２４と２７が向かい合わせとなるので、図４の第１実施例の場合と全く同様にして、ｗ１より少し太いコードの片側または両側を固定可能となる。
これと異なり、溝幅ｗ２より少し太いコードを用いたい場合は、図１８に示すように、コード固定部２２Ｃを持ち上げて支持ピン９５から抜き、交換用のコード固定部２２Ｄを挿入する。同様に、コード固定部２６Ｃを持ち上げて支持ピン９９から抜き、交換用のコード固定部２６Ｄを挿入する。これにより、溝幅ｗ２の溝部８３と８８が向かい合わせとなるので、ｗ２より少し太いコードの片側または両側を固定可能となる（図１９参照）。
【００３６】
この第４実施例によれば、基台２１Ｃに対し溝幅ｗ１の溝部２４、２７を有するコード固定部２２Ｃ、２６Ｃと、溝幅ｗ２の溝部８３、８８を有するコード固定部２２Ｄ、２６Ｄを交換して装着可能としたので、ｗ１より少し太いコードの片側または両側を固定したり、ｗ２より少し太いコードの片側または両側を固定することができ、１つの手編み補助具で対応可能なコードの種類が多くなる。
また、コード固定部２２Ｃ、２６Ｃを支持ピン９５、９９から抜き、代わりにコード固定部２２Ｄ、２６Ｄを挿入するだけの簡単な作業で交換できるので、手間が掛からない。
なお、上記した第４実施例では、２種類のコード固定部を交換可能としたが互いに溝の種類の異なる３種類以上のコード固定部を交換可能としても良い（例えば、図１６、１７のコード固定部のほか、図９の溝部２４Ａを有するコード固定部を加える）。
【００３７】
なお、上記した各実施例では、手編み補助具は基台の前後にコード固定部を備えた構成としたが、後側のコード固定部は省略し、前側のコード固定部だけを設けるようにしても良い。
また、基台を板状とする代わりに枠形としても良い。
また、コード差し込み溝とは別に、コード固定部または基台にコード巻き掛け部を設けたが、これを省略し、複数のコード差し込み溝に差し込みながら巻き掛けることで、コードの端を固定するようにしても良い。
例えば、図４の第１実施例の手編み補助具の場合、図２０の手編み補助具２０Ｄに示すように、コード巻き掛け部３０、３３を省略し、コード固定部２２の溝幅ｗ１より少し太い複数本のコード５０、５１、・・を束ねた状態でコード差し込み溝２３i に差し込み、コード固定部２２の前面に沿って横に曲げてコード巻き掛け部２３x に差し込み、更に、コード固定部２２の後面に沿って横に曲げてコード差し込み溝２３j に差し込むことで複数のコード差し込み溝に巻き掛けるようにすれば、簡単かつ確実に複数本のコードの前端部を固定することができ、作業中にきれいな結び目を作るためにコードを手元側に引っ張ってもコード固定部２２から外れることがなく、出来上がりの良好な作品を製作可能となる。他の第２乃至第４実施例についても全く同様である。
【産業上の利用可能性】
【００３８】
本考案は、ヘンプ、蝋引きコード、アジアンコード、レザーコードなどの各種の糸、紐等を用いてマクラメ結びなどの手編みによりアクセサリー、小物類、室内装飾品などの手工芸品を作成する場合に適用可能である。
【符号の説明】
【００３９】
２０、２０Ａ、２０Ｂ、２０Ｃ、２０Ｄ  手編み補助具
２１  基台
２２、２２Ａ、２２Ｂ、２２Ｃ、２２Ｄ、２６、２６Ａ、２６Ｂ、２６Ｃ、２６Ｄ  コード固定部
２３1 、２３2 、・・２７1 、２７2 、・・、６０1 、６０2 、・・、６１1 、６１2 ・・  コード差し込み溝
２４、２４Ａ、２７、２７Ａ、８３、８８  溝部
３０、３０Ａ、３０Ｂ、３０Ｃ、３３、３３Ａ、３３Ｂ、３３Ｃ  コード巻き掛け部
９５、９９  支持ピン
【図１】
0003170231.tif 000003
【図２】
0003170231.tif 000004
【図３】
0003170231.tif 000005
【図４】
0003170231.tif 000006
【図５】
0003170231.tif 000007
【図６】
0003170231.tif 000008
【図７】
0003170231.tif 000009
【図８】
0003170231.tif 000010
【図９】
0003170231.tif 000011
【図１０】
0003170231.tif 000012
【図１１】
0003170231.tif 000013
【図１２】
0003170231.tif 000014
【図１３】
0003170231.tif 000015
【図１４】
0003170231.tif 000016
【図１５】
0003170231.tif 000017
【図１６】
0003170231.tif 000018
【図１７】
0003170231.tif 000019
【図１８】
0003170231.tif 000020
【図１９】
0003170231.tif 000021
【図２０】
0003170231.tif 000022